(57)【要約】    【課題】  簡易なレンズ構成で、高い光学性能を保ちつつ観察倍率が大きく、大きなファインダー像の観察ができ、しかもアイレリーフを十分に長く確保することのできる接眼光学系及びそれを有するファインダー光学系を得ること。    【解決手段】  対物レンズによって形成された像を正立像に反転する像反転手段と像反転手段によって正立像となった像を拡大表示する接眼レンズ部とを有し、接眼レンズ部は像反転手段から順に負の第１レンズ、正の第２レンズ、観察側が凹面でメニスカス形状の正もしくは負の第３レンズから構成され、第２レンズは接眼レンズ部の光軸方向に沿って移動して視度調節を行う視度調節機能を有しており、第１レンズの焦点距離をｆ１、像反転手段の空気換算光路長をｄｐとするとき、１．３３＜｜ｆ１／ｄｐ｜＜２．１０なる条件を満足すること。【選択図】    図１
2007328160.tif 000002
【特許請求の範囲】
【請求項１】
対物レンズによって形成された像を正立像に反転する像反転手段と、該像反転手段によって正立像となった像を拡大表示する接眼レンズ部とを有する接眼光学系において、
該接眼レンズ部は該像反転手段から順に、負の屈折力の第１レンズ、正の屈折力の第２レンズ、観察側が凹面でメニスカス形状の正もしくは負の屈折力の第３レンズから構成され、該第２レンズは該接眼レンズ部の光軸方向に沿って移動して視度調節を行う視度調節機能を有しており、該第１レンズの焦点距離をｆ１、該像反転手段の空気換算光路長をｄｐとするとき、
１．３３＜｜ｆ１／ｄｐ｜＜２．１０
なる条件を満足することを特徴とする接眼光学系。
【請求項２】
前記第１レンズの材料のアッベ数をνｄとするとき、
２０＜νｄ＜３２
なる条件を満足することを特徴とする請求項１に記載の接眼光学系。
【請求項３】
前記第２レンズの焦点距離をｆ２、前記接眼レンズ部の全系の焦点距離をｆとするとき、
０．５＜ｆ２／ｆ＜０．６
なる条件を満足することを特徴とする請求項１又は２に記載の接眼光学系。
【請求項４】
請求項１から３の何れか１項に記載の接眼光学系と、前記対物レンズとを有していることを特徴とするファインダー光学系。
【請求項５】
請求項４に記載のファインダー光学系と、該ファインダー光学系で表示される物体像に相当する像を受光する撮像手段と、を有していることを特徴とする撮像装置。
【発明の詳細な説明】
【技術分野】
【０００１】
本発明は、接眼光学系及びそれを有するファインダー光学系に関し、デジタル一眼レフカメラやビデオカメラ等の撮像装置に好適なものである。
【背景技術】
【０００２】
従来、一眼レフカメラのファインダー光学系では撮影レンズによる被写体像を焦点板上に形成している。そして焦点板上に形成した被写体像をペンタプリズム等の像反転手段を介して正立像とした後、接眼レンズによって拡大表示して観察者が観察するように構成している。
【０００３】
このようなファインダー光学系に用いられる接眼レンズとしては、高い観察倍率と十分な長さのアイレリーフの確保、視度調節機能、そして高い光学性能が求められている。
【０００４】
一般にこのようなファインダー光学系において、観察倍率は対物レンズと接眼レンズの焦点距離の比で求められる。このため観察倍率を大きくする為には、接眼レンズの焦点距離を短くすることが必要となる。
【０００５】
しかしながら一眼レフカメラのファインダー光学系においては、一般に視度を−１ディオプトリー付近に設定することが必要となる。このため、物体像が形成される焦点板から接眼レンズまでの距離（接眼レンズの主点位置までの光路長）によって実質的な接眼レンズの焦点距離は決定される。
【０００６】
従って一眼レフカメラにおいて最も単純にファインダー光学系の観察倍率を大きくするにはペンタプリズムの光路長を短くし、接眼レンズをペンタプリズムに近接させて配置すれば良い。
【０００７】
しかしながら、このような構成にすると、ファインダー光学系の観察部（アイポイント）がカメラの後面より物体側に移動してしまい、観察者が瞳を接眼レンズに近接させることが困難となる。
【０００８】
そこで接眼レンズをペンタプリズムに近接させて配置する代わりに、接眼レンズの主点を近接させて配置することによって観察倍率を大きくしたファインダー光学系が知られている。
【０００９】
このファインダー光学系において接眼レンズを物体像が形成する焦点板側から順に負レンズ、正レンズ、アイポイント側が凹面のメニスカス形状の負レンズから構成したファインダー光学系が知られている（特許文献１、２参照）。
【特許文献１】特開２００１−３２４６８４号公報
【特許文献２】特開２０００−９８２６６号公報
【発明の開示】
【発明が解決しようとする課題】
【００１０】
最近のデジタル一眼レフカメラでは、いわゆる３５ｍｍ銀塩フィルムよりもイメージサークルの小さい所謂ＡＰＳ−Ｃサイズと同様の大きさの撮像手段がセンサに用いられている。
【００１１】
ファインダー光学系で観察されるファインダー像は撮像手段面上に形成される物体像と同一または略同一であるように構成されている。このためデジタル一眼レフカメラのファインダー光学系を介して観察されるファインダー像は従来の銀塩カメラで観察されるファインダー像よりも小さくなってくる。前述した従来のファインダー光学系をＡＰＳ−Ｃサイズと同様のデジタル一眼レフカメラに応用することで観察倍率（ファインダー倍率）を０．９倍程度に高めることができる。
【００１２】
しかしながらデジタル一眼レフカメラでは観察されるファインダー像の大きさは、観察倍率０．９程度では、十分でない。
【００１３】
観察倍率を高くするために接眼レンズの構成レンズ枚数を増やし、接眼レンズの焦点距離を短くする方法は、レンズ構成が複雑となるので良くない。
【００１４】
また一眼レフカメラのファインダー光学系において、アイレリーフを十分に長くするためにはペンタプリズムを十分に大きく構成して、ペンタプリズムによる光線のけられを極力少なくすることが必要となる。
【００１５】
尚、ここでアイレリーフとは接眼レンズの射出面から観察者の瞳孔(アイポイント)までの距離である。
【００１６】
しかしながら、その際には焦点板から接眼レンズまでの光路長が必然的に長くなり、それに応じて接眼レンズの焦点距離が長くなり、ファインダーの観察倍率が小さくなってしまう。
【００１７】
そのため、ファインダーの観察倍率を大きくしつつ、アイレリーフを十分に長くするには接眼レンズの入射瞳位置を焦点板になるべく近づけて、ペンタプリズムの光路長を大きくすることなく光線のけられを少なくすることが重要になってくる。
【００１８】
一眼レフカメラのファインダー系では、焦点板上に形成された物体像からの光束が通過するペンタプリズムの光路長と該物体像を表示する接眼レンズの構成を適切に設定することがファインダーの観察倍率を大きくし、かつ長いアイレリーフを得るのに重要である。
【００１９】
またファインダー像を良好に観察するには、接眼レンズで視度調整をすることが必要である。このとき接眼レンズ中の一部のレンズを移動したとき、視度調整が容易に行えることが重要になってくる。
【００２０】
本発明は高い光学性能を保ちつつ観察倍率が大きく、大きなファインダー像の観察ができ、しかもアイレリーフを十分に長く確保することのできる接眼光学系及びそれを有するファインダー光学系の提供を目的とする。
【課題を解決するための手段】
【００２１】
本発明の接眼光学系は、
対物レンズによって形成された像を正立像に反転する像反転手段と、該像反転手段によって正立像となった像を拡大表示する接眼レンズ部とを有する接眼光学系において、
該接眼レンズ部は該像反転手段から順に、負の屈折力の第１レンズ、正の屈折力の第２レンズ、観察側が凹面でメニスカス形状の正もしくは負の屈折力の第３レンズから構成され、該第２レンズは該接眼レンズ部の光軸方向に沿って移動して視度調節を行う視度調節機能を有しており、該第１レンズの焦点距離をｆ１、該像反転手段の空気換算光路長をｄｐとするとき、
１．３３＜｜ｆ１／ｄｐ｜＜２．１０
なる条件を満足することを特徴としている。
【発明の効果】
【００２２】
本発明によれば簡易なレンズ構成で、高い光学性能を保ちつつ観察倍率が大きく、大きなファインダー像の観察ができ、しかもアイレリーフを十分に長く確保することのできる接眼光学系が得られる。
【発明を実施するための最良の形態】
【００２３】
図１は本発明の接眼光学系を一眼レフカメラ(撮像装置)のファインダー光学系に適用したときの実施例１の要部断面図である。図２、図３は各々本発明の接眼光学系の数値実施例１の光学要素の光路を展開した光路図と収差図である。図４、図５は各々本発明の接眼光学系の数値実施例２の光学要素の光路を展開した光路図と収差図である。図６、図７は各々本発明の接眼光学系の数値実施例３の光学要素の光路を展開した光路図と収差図である。図８、図９は各々本発明の接眼光学系の数値実施例４の光学要素の光路を展開した光路図と収差図である。図１０、図１１は各々本発明の接眼光学系の数値実施例５の光学要素の光路を展開した光路図と収差図である。
【００２４】
光路図と収差図においてはファインダー視度が−１ディオプトリー（標準視度）のときを示している。光路図において像反転手段５が位置する左方が物体側(光入射側)、アイポイント７側の右方が観察側(光出射側)である。
【００２５】
図１において、１はカメラ本体（不図示）に固定または着脱可能なレンズ系である。２はクイックリターンミラーであり、回転軸２ａを中心に回動可能となっている。３は焦点板（フレネルレンズ）である。４は焦点板（マット面）であり、その面上にレンズ系１によって物体像が形成されている。５は正立像形成部材（像反転手段）としてのペンタプリズムであり、焦点板４上に形成された物体像を正立正像としている。６は接眼光学系の一要素を構成する接眼レンズ部である。レンズ系１から接眼レンズ部６に至る各部材はファインダー光学系を構成している。７はアイポイントの位置を表している。ＩＰはレンズ系１の像面であり、ＣＣＤセンサやＣＭＯＳセンサ等の固体撮像素子（撮像手段）の撮像面またはフィルム（撮像手段）等の感光面に相当する。
【００２６】
ＥＰは接眼光学系であり、像反転手段５と接眼レンズ部６とを有している。
【００２７】
収差図において、Ｈは入射瞳の高さ、Ｙは最大像高である。
【００２８】
図１に示す光学系をファインダー光学系として取り扱うときは、レンズ系１は焦点板４に物体像を形成するための対物レンズに相当する（以下、ファインダー光学系として取り扱うときはレンズ系１を対物レンズ１と称する。）。
【００２９】
また撮像装置として取り扱うときは、レンズ系１は像面ＩＰに物体像を形成するための撮影レンズに相当する（以下、撮像装置として取り扱うときはレンズ系１を撮影レンズ１と称する。）。
【００３０】
撮像手段に像を形成するときはクイックリターンミラー２は矢印の如く回動して撮影レンズ１からの光束が像面ＩＰに入射するようにしている。そして像面ＩＰに配置された撮像手段によって焦点板４に形成された物体像に相当する像（物体像の一部または全部またはそれよりも大きな部分の像）を光電変換（受光）している。
【００３１】
本実施例におけるファインダー光学系では、対物レンズ１によって被写体像をクイックリターンミラー２で反射させて焦点板４上に形成している。そして焦点板４に形成したファインダー像をペンタプリズム５で正立像として接眼レンズ部６を介してアイポイント７より観察している。
【００３２】
本発明に係る接眼レンズ部６は物体側から観察側へ順に、負の屈折力の第1レンズ６ａ、正の屈折力の第２レンズ６ｂ、アイポイント側が凹面でメニスカス形状の正もしくは負の屈折力の第３レンズ６ｃからなっている。そして視度調整機構８によって第２レンズ６ｂを接眼レンズ部６の光軸Ｌａに沿って移動することで視度調節を行っている。
【００３３】
尚、第１レンズ６ａの物体側または第３レンズ６ｃの観察側の少なくとも一方にレンズやフィルタ−等の光学部材を設けても良い。
【００３４】
本実施例で適用可能な像反転手段としては、ポロプリズム、ダハプリズム等、像を反転することができる光学部材であれば何でも良い。
【００３５】
各実施例では第１レンズ６ａと第２レンズ６ｂの焦点距離を各々ｆ１、ｆ２、第１レンズ６ａの材料のアッベ数をνｄ、像反転手段５の空気換算光路長をｄｐ、接眼レンズ部６の全系の焦点距離をｆとするとき
１．３３＜｜ｆ１／ｄｐ｜＜２．１０  ‥‥‥‥(1)
２０＜νｄ＜３２                      ‥‥‥‥(2)
０．５＜ｆ２／ｆ＜０．６              ‥‥‥‥(3)
なる条件を満足している。
【００３６】
ここで空気換算光路長ｄｐは材料の屈折率をＮｄ、光路を展開したときの長さをＬとするとき、
ｄｐ＝Ｌ／Ｎｄ
で表わされるものである。
【００３７】
条件式（１）は負の屈折力の第１レンズ６ａの焦点距離と像反転手段（ペンタプリズム）５の空気換算光路長ｄｐの比を特定している。これにより、高い観察倍率（ファインダー倍率）を実現してファインダー像を大きくしながらも、十分な長さのアイレリーフと高い光学性能を保つことができる。
【００３８】
ファインダー光学系の観察倍率を大きくする為には、接眼レンズ部６の焦点距離を短くすること、即ち焦点板４から接眼レンズ部６までの距離（接眼レンズ部６の主点位置までの光路長）を短くすることが必要である。また、焦点板４から接眼レンズ部６までの距離を短くした場合には、視度を−1ディオプトリー付近に設定する為に接眼レンズ部６の焦点距離を短くする必要がある。
【００３９】
接眼レンズ部６を負の屈折力の第１レンズ６ａ、正の屈折力の第２レンズ６ｂ、負もしくは正の屈折力の第３レンズ６ｃで構成した場合には、第２レンズ６ｂの正の屈折力を強めることで接眼レンズ部６の焦点距離を短くすることができる。
【００４０】
しかしながら、第２レンズ６ｂは視度調節を行う為に強い正の屈折力をすでに有しており、さらに正の屈折力を強めると球面収差、像面湾曲といった収差を良好に補正することが困難になる。そのため、接眼レンズ部６の焦点距離を短くする為には第１レンズ６ａの負の屈折力を弱めることで、接眼レンズ部６全系としての焦点距離を短くすることが望ましい。
【００４１】
条件式（１）は上述した接眼レンズ部６の焦点距離を短くし、高い観察倍率を実現しながら、アイレリーフを十分に確保する為に設定した条件である。
【００４２】
条件式（１）の下限を超えると、第１レンズ６ａの負の屈折力が強くなりすぎるため、接眼レンズ部６の焦点距離を短くすることが難しくなり、高い観察倍率を実現することが困難になる。また、下限を超えて接眼レンズ部６全系の焦点距離を短くしようとしたときには第１レンズ６ａの負の屈折力が強くなりすぎるため、球面収差、像面湾曲といった諸収差を良好に補正することが困難になる。
【００４３】
条件式（１）の上限を超えると、第１レンズ６ａの負の屈折力が弱くなりすぎるため、接眼レンズ部６の入射瞳位置が遠くなりすぎてしまい（観察側へきてしまい）ペンタプリズム５による光線のけられが多く、またアイレリーフが短くなりすぎてしまう。
【００４４】
条件式（２）は負の屈折力の第１レンズ６ａの材料のアッベ数を特定し、主に倍率色収差を良好に補正し、ファインダー像を大きくしながらも高い光学性能を保つためのものである。
【００４５】
上述した条件式（１）を満足することで、高い観察倍率と十分なアイレリーフを確保することが可能になる。しかしながら第１レンズ６ａの負の屈折力が弱くなるため、倍率色収差の補正が不十分になる場合がある。条件式（２）は高い観察倍率を実現しながら、アイレリーフを十分に確保し、倍率色収差を良好に補正して、さらに高い光学性能を実現する為に設定した条件式である。
【００４６】
条件式（２）の下限を超えると選択できる材料が極端に少なくなりすぎてしまうので良くない。条件式（２）の上限を超えると、負の屈折力の第１レンズ６ａによる倍率色収差の補正が不十分になり高い光学性能を得ることが困難になる。
【００４７】
条件式（３）は正の屈折力の第２レンズ６ｂの屈折力に関し、視度調節の調整範囲を光学性能を維持したまま広くとるためのものである。
【００４８】
上述した条件式（１）を満足することで、高い観察倍率と十分なアイレリーフを確保することが可能になるが、第１レンズ６ａの負の屈折力が弱くなる。このため、条件式（３）の下限を超えて第２レンズ６ｂの正の屈折力が強くなりすぎると球面収差、像面湾曲といった諸収差を良好に補正することが困難になる。また、上限を超えて第２レンズ６ｂの正の屈折力が弱くなりすぎると視度調節の調整範囲を十分に取ることが困難になる。
【００４９】
尚、各実施例において、さらに好ましくは条件式（１）〜（３）の数値範囲を次の如く設定するのが良い。
【００５０】
１．３５＜｜ｆ１／ｄｐ｜＜２．０５  ‥‥‥‥(1ａ)
２１＜νｄ＜３１                      ‥‥‥‥(2ａ)
０．５１＜ｆ２／ｆ＜０．５８          ‥‥‥‥(3ａ)
以上のように各実施例によれば接眼光学系の各要素を適切に設定することにより、高い光学性能を有し、高い観察倍率で且つ十分に長いアイレリーフを確保することができる。
【００５１】
次に各数値実施例の数値データを示す。各数値実施例においては物体側（焦点板側）から観察側（アイポイント側）への順序を示す。
【００５２】
各数値実施例において、ｉは物体側からの面の順序を示し、Ｒiはレンズ面の曲率半径、Ｄiは第ｉ面と第（ｉ＋１）面との間の間隔、Ｎｉとνｉは各々ｄ腺を基準とした材料の屈折率、アッベ数を示す。最も物体側の２つの面は平面であり、像反転手段である。
【００５３】
なお、各数値実施例において＊印は非球面を表しており、非球面形状は光軸方向にＸ軸、光軸と垂直方向にＹ軸、光の進行方向を正とし、Ｒを近軸曲率半径、Ｋ、Ｂ、Ｃ、Ｄ、Ｅとしたとき、
【００５４】
【数１】
2007328160.tif 000003
【００５５】
によって定義されるものである。また、「e-0X」の表示は「10-X」を意味している。
【００５６】
また、各数値実施例のファインダー光学系を実現した際のファインダー倍率とアイレリーフの概略の計算結果を示す。ファインダー倍率は焦点距離が５０mmの対物レンズ（撮影レンズ）を用いたときのアフォーカル系の角倍率で表すことができる。ここでは近似的に対物レンズの焦点距離と接眼光学系の焦点距離の比で表している。
【００５７】
また、前述の−1ディオプトリーのときの条件式と数値実施例における諸数値との関係を表１に示す。
【００５８】
【表１】
2007328160.tif 000004
【００５９】
【表２】
2007328160.tif 000005
【００６０】
【表３】
2007328160.tif 000006
【００６１】
【表４】
2007328160.tif 000007
【００６２】
【表５】
2007328160.tif 000008
【００６３】
【表６】
2007328160.tif 000009
【図面の簡単な説明】
【００６４】
【図１】本発明のファインダー光学系を用いた撮像装置の要部断面図
【図２】本発明の数値実施例１の光路を展開したときの断面図
【図３】本発明の数値実施例１の収差図
【図４】本発明の数値実施例２の光路を展開したときの断面図
【図５】本発明の数値実施例２の収差図
【図６】本発明の数値実施例３の光路を展開したときの断面図
【図７】本発明の数値実施例３の収差図
【図８】本発明の数値実施例４の光路を展開したときの断面図
【図９】本発明の数値実施例４の収差図
【図１０】本発明の数値実施例５の光路を展開したときの断面図
【図１１】本発明の数値実施例５の収差図
【符号の説明】
【００６５】
１：レンズ系
２：クイックリターンミラー
３：焦点板（フレネルレンズ）
４：焦点板（マット面）
５：ペンタプリズム
６a：接眼レンズ部を構成する負の第１レンズ
６b：接眼レンズ部を構成する正の第２レンズ
６c：接眼レンズ部を構成する第３レンズ
７：アイポイント
８：視度調整機構
ＥＰ：接眼光学系
Ｌａ：光軸
【図１】
2007328160.tif 000010
【図２】
2007328160.tif 000011
【図３】
2007328160.tif 000012
【図４】
2007328160.tif 000013
【図５】
2007328160.tif 000014
【図６】
2007328160.tif 000015
【図７】
2007328160.tif 000016
【図８】
2007328160.tif 000017
【図９】
2007328160.tif 000018
【図１０】
2007328160.tif 000019
【図１１】
2007328160.tif 000020